(57)【特許請求の範囲】
【請求項１】
振動板を備えるスピーカの前面側に配備されるスピーカ用グリルであって、
前記振動板の前面位置に形成され、前記振動板の正面方向で前記振動板の外径全体が開放される開口領域部と、
前記開口領域部の左右両側に第１および第２の遮蔽領域部を有し、
前記第１の遮蔽領域部は、左右一方の斜視方向で前記振動板の振動面における左右一方の一部を遮蔽し、
前記第２の遮蔽領域部は、前記斜視方向で前記振動板の振動面を遮蔽しない遮蔽領域部とを備えたことを特徴とするスピーカ用グリル。
【請求項２】
前記遮蔽領域部は、前記振動板の正面方向で、前記振動板のエッジ近傍を遮蔽することを特徴とする請求項１に記載のスピーカ用グリル。
【請求項３】
前記開口領域部に複数の孔部が形成され、前記遮蔽領域部に前記孔部が形成されていない保護部材からなることを特徴とする請求項１または請求項２に記載のスピーカ用グリル。
【請求項４】
振動板、および前記振動板の前面側に配備されるスピーカ用グリルを有するスピーカ装置であって、
前記スピーカ用グリルは、
前記振動板の前面位置に形成され、前記振動板の正面方向で前記振動板の外径全体が開放される開口領域部と、
前記開口領域部の左右両側に第１および第２の遮蔽領域部を有し、
前記第１の遮蔽領域部は、左右一方の斜視方向で前記振動板の振動面における左右一方の一部を遮蔽し、
前記第２の遮蔽領域部は、前記斜視方向で前記振動板の振動面を遮蔽しない遮蔽領域部とを備えることを特徴とするスピーカ装置。
【請求項５】
前記遮蔽領域部は、前記振動板の正面方向で、前記振動板のエッジ近傍を遮蔽することを特徴とする請求項４に記載のスピーカ装置。
【請求項６】
前記開口領域部に複数の孔部が形成され、前記遮蔽領域部に前記孔部が形成されていない保護部材からなることを特徴とする請求項４または請求項５に記載のスピーカ装置。
【発明の詳細な説明】
【技術分野】
【０００１】
本発明は、スピーカ用グリル、およびスピーカ装置に関するものである。
【背景技術】
【０００２】
例えば車載用のスピーカ等には、振動板等を保護するために前面側にスピーカ用グリルが設けられている。例えば車載用のスピーカ等では、スピーカ正面位置にて視聴される場合が少なく、真正面方向に対して斜視方向の位置にて視聴される場合が多い。この斜視方向への指向性を備えたスピーカ用グリルが各種知られている。例えば特許文献１には、複数の径の異なるリング状の桟部材を同心状に配置すると共に、このリング状の桟上部材をリブによって支持し、一端側が他端側と比較し狭いピッチに配置されたスピーカ用グリルが開示されている。このスピーカ用グリルでは、狭ピッチで配置された一端側で音圧分布が上昇し、その結果音波（粗密波）の指向性が生じる。
【０００３】
【特許文献１】特開２００２−３０５７８４号公報
【発明の開示】
【発明が解決しようとする課題】
【０００４】
しかし、上述したスピーカでは、複数の径の異なるリング状の桟部材を同心状に配置された複雑な構造となっており、強度が比較的弱く、形成工程に長時間を要する。このため、より簡単な構成のスピーカ用グリルが望まれている。
ところで、一般的に振動板から斜視方向に放射される粗密波は、振動板の振動面の各部分からの行路差に応じた異なる位相成分の合成波である。このため特定の斜視方向へ放射される粗密波では、逆位相成分が干渉して、特定の周波数領域の音質が低下する場合がある。
【０００５】
本発明は、このような問題に対処することを課題の一例とするものである。すなわち、簡単な構成で斜視方向での音質の低下を防止することができるスピーカ用グリル、およびスピーカ装置を提供することを目的とする。
【課題を解決するための手段】
【０００６】
このような目的を達成するために、本発明は、以下の各独立項に係る構成を少なくとも具備するものである。
請求項１に係る発明は、振動板を備えるスピーカの前面側に配備されるスピーカ用グリルであって、前記振動板の前面位置に形成され、前記振動板の正面方向で前記振動板の外径全体が開放される開口領域部と、前記開口領域部の左右両側に第１および第２の遮蔽領域部を有し、前記第１の遮蔽領域部は、左右一方の斜視方向で前記振動板の振動面における左右一方の一部を遮蔽し、前記第２の遮蔽領域部は、前記斜視方向で前記振動板の振動面を遮蔽しない遮蔽領域部とを備えたことを特徴とする。
【０００７】
請求項４に係る発明は、振動板、および前記振動板の前面側に配備されるスピーカ用グリルを有するスピーカ装置であって、前記スピーカ用グリルは、前記振動板の前面位置に形成され、前記振動板の正面方向で前記振動板の外径全体が開放される開口領域部と、前記開口領域部の左右両側に第１および第２の遮蔽領域部を有し、前記第１の遮蔽領域部は、左右一方の斜視方向で前記振動板の振動面における左右一方の一部を遮蔽し、前記第２の遮蔽領域部は、前記斜視方向で前記振動板の振動面を遮蔽しない遮蔽領域部とを備えることを特徴とする。
【発明を実施するための最良の形態】
【０００８】
本発明の一実施形態に係るスピーカ装置は、振動板とその振動板の前面側に配備されるスピーカ用グリルとを有するスピーカ装置であって、スピーカ用グリルは、振動板の前面位置に形成され、振動板の正面方向で振動板の外径全体が開放される開口領域部と、該開口領域部の側方に形成され、振動板の斜視方向で振動板の一部が遮蔽される遮蔽領域部とを備えたことを特徴とする。
【０００９】
上記構成のスピーカ装置では、スピーカ用グリルに形成された遮蔽領域部が、開口領域部の側方に形成され、振動板の斜視方向で振動板の一部を遮蔽するので、例えば振動板の傾斜面部から放射される粗密波のうち、規定角度以上の斜視方向（斜め方向）に沿った粗密波の一部が、遮蔽領域部により遮蔽されるので、振動板の各部分からの行路差に応じた位相成分の干渉により生じる虞のある、特定の周波数領域の音質の低下を低減することができる。
以下、図面を参照しながら本発明の一実施形態に係るスピーカ装置を説明する。
【００１０】
図１は本発明の一実施形態に係るスピーカ装置１を説明するための正面図である。図２は図１に示したスピーカ装置のＡ−Ａ線に沿った断面図である。図３は図１に示したスピーカ装置１のＢ−Ｂ線に沿った断面図である。
【００１１】
本実施形態に係るスピーカ装置１は、図１〜図３に示すように、２つのスピーカ装置が同軸上に配置されている。例えば本実施形態に係るスピーカ装置１は、低音再生用のスピーカ装置２、高音再生用のスピーカ装置３、およびスピーカ用グリル（グリル）４を有する。グリル４は、本発明に係るスピーカ用グリルの一実施形態に相当する。また、低音再生用のスピーカ装置２と高音再生用のスピーカ装置３は、支持部材５により連結されている。
【００１２】
スピーカ装置１は、例えば同軸型の２ウェイスピーカであり、前面側に高音再生用のスピーカ装置２、背面側に低音再生用のスピーカ装置３が同軸上に配置されている。スピーカ装置１は上記形態に限られるものではなく、単一のスピーカ装置であってもよい。また低音再生用のスピーカ装置２は低音および中音再生が可能なスピーカ装置であってもよいし、高音再生用スピーカ装置３は中音および高音再生が可能なスピーカ装置であってもよい。
【００１３】
［低音再生用のスピーカ装置２］
低音再生用スピーカ装置２は、図１〜図３に示すように、磁気回路２１、および振動系２２を有する。磁気回路２１は、外磁型磁気回路や内磁型磁気回路等を採用することができる。本実施形態に係る磁気回路２１は外磁型磁気回路であり、磁石２１１、ポールピース２１２、およびプレート２１３を有する。磁石２１１は、例えばリング形状に形成されている。磁石２１１は、例えばネオジウム系、サマリウム・コバルト系、アルニコ系、フェライト系磁石等の永久磁石等を採用することができる。ポールピース２１２は、図２に示すように、断面形状が略逆Ｔ字状に形成されている。ポールピース２１２は、例えば図２に示すように、ヨーク２１２ａ、センターポール２１２ｂ、および開口部２１２ｃ、２１２ｄを有する。ヨーク２１２ａはフランジ形状に形成され、リング形状の磁石２１１の下面側に配置されている。センターポール２１２ｂは円筒形状に形成され、下面側の中心軸近傍に円錐台形状の凹部が形成されている。またセンターポール２１２ｂは、下側に開口部２１２ｃが形成され、上側に開口部２１２ｄが形成され、この開口部２１２ｃ，２１２ｄが中心軸に沿って貫通している。開口部２１２ｄは、センターポール２１２ｂの略中央部近傍から上側にかけて形成され、開口部２１２ｃはそれより下側にかけて形成されている。この開口部２１２ｄの径は、開口部２１２ｃの径より大きく形成されている。開口部２１２ｃ，２１２ｄには支持部材５が貫通している。
【００１４】
リング状のプレート２１３は、リング状の磁石２１１上に配置されている。このプレート２１３の内周部とポールピース２１２の外周部との間に磁気間隙２１０が形成され、この磁気間隙２１０に磁石２１１による磁束が集中している。
【００１５】
振動系２２は、図１〜図３に示すように、ボイスコイルボビン２２１、ボイスコイル２２２、振動板２２３、スピーカフレーム（フレーム）２２４、およびダンパ２２５を有する。ボイスコイルボビン２２１は略円筒形状に形成され、下端部にはボイスコイル２２２が巻回されている。またボイスコイルボビン２２１の下端部に巻回されたボイスコイル２２２は、プレート２１３とポールピース２１２との磁気間隙２１０内に配置される。ボイスコイル２２２には、導電線ＬＮ１が電気的に接続されており、導電線ＬＮ１の他端はフレーム２２４に備えられた端子部２２４ａに電気的に接続されている。振動板２２３は、例えばコーン形状など各種形状に形成されている。振動板２２３は、例えば紙系、高分子系、金属系などの各種材料を採用することができる。振動板２２３の端部はエッジ部２２３ａを介してフレーム２２４に固定されている。エッジ部２２３ａは、振動板２２３の動きに対して柔軟に動くように形成されている。このエッジ部２２３ａは、例えば振動板２２３の音響的な振動の終端としての機能、振動板２２３の外周部を支持して規定された位置に保持する機能、振動板２２３の横揺れに対して制動する機能、振動板２２３背面側からの音波が前面側の音波に干渉しないように遮蔽する機能などを有する。
【００１６】
フレーム２２４は、スピーカ装置１の各構成要素を支持する機能を有する。詳細にはフレーム２２４は、上側に向って開口した形状に形成され、底面部２２４ｂがプレート２１３上に配置され、上端部２２４ｂにエッジ部２２３ｃが固定されている。また、フレーム２２４の略中央部近傍には、ダンパ２２５を支持するフランジ部２２４ｄが形成されている。
ダンパ２２５は、ボイスコイルボビン２２１を移動自在に支持する。詳細には、ダンパ２２５は、例えば断面波型形状に形成され、外周部が２２４に固定され、内周部が振動板２２３に固定されている。
【００１７】
［支持部材５］
支持部材５は、低音再生用のスピーカ装置２と高音再生用のスピーカ装置３の間に形成され、低音再生用のスピーカ装置２上に高音再生用のスピーカ装置３を支持する。例えば支持部材５の下端部には、ポールピース２１２の開口部２１２ｃ，２１２ｄに嵌合する嵌合部５ａが形成されている。支持部材５の上端部には開口部５ｂが形成されており、この開口部５１ｂには高音再生用のスピーカ装置３のフレーム部３３が嵌合されている。
【００１８】
［高音再生用のスピーカ装置３］
高音再生用のスピーカ装置３は、図１〜図３に示すように、磁気回路３１、振動系３２、フレーム部３３、および遮蔽カバー３４を有する。磁気回路３１は、外磁型磁気回路や内磁型磁気回路等を採用することができる。本実施形態に係る磁気回路３１は、内磁型磁気回路であり、磁石３１１、ヨーク３１２、およびプレート３１３を有する。
磁石３１１は、円柱形状に形成されている。磁石３１１は、例えばネオジウム系、サマリウム・コバルト系、アルニコ系、フェライト系の永久磁石等を採用することができる。ヨーク３１２は、断面Ｕ字形状に形成され、底面部上に磁石３１１が載置される。プレート３１３は、リング形状に形成され、磁石３１１上に配置されている。このプレート３１３の外周部と、ヨーク３１２の上端内周部との間に磁気間隙３１０が形成され、この磁気間隙３１０に磁石３１１による磁束が集中している。
【００１９】
振動系３２は、振動板３２１、およびボイスコイル３２２を有する。振動板３２１は、中央部がドーム形状に形成され、外周部がコーン形状に形成され、その中間部にはボイスコイルが配置される断面Ｕ字形状部が形成されている。振動板３２１の外周部はフレーム部３３により支持されている。ボイスコイル３２２は、振動板３２１により磁気間隙３１０近傍に支持される。またボイスコイル３２２には、端子部２２４ａから遮蔽カバー３４を介して導電線ＬＮ１が電気的に接続されている。フレーム部３３は、下部に支持部材５の開口部に嵌合する嵌合部３３ａが形成され、内部に磁気回路３１が配置されている。フレーム部３３の前面側には遮蔽カバー３４が配置されている。
遮蔽カバー３４は、図２，図３に示すように、フレーム部３３の周辺部に形成され、遮蔽カバー３４の外径が、振動板２２３の外径の３分の２程度の大きさに形成されている。この遮蔽カバー３４は、振動板２２３の中心部分から放射される粗密波の一部を遮蔽及び反射する機能を有する。また、遮蔽カバー３４は正面方向で振動板２２３の中心部分を覆うように形成され、斜視方向は振動板２２３の振動面の一部を遮蔽するように形成されている。
【００２０】
［グリル４］
図４は、図１に示したスピーカ用グリルの正面側からの斜視図である。図５は、図１に示したスピーカ用グリルの裏面側からの斜視図である。図６は、図１に示したスピーカ用グリルを説明するための正面図である。グリル４は、図１〜６に示すように、開口領域部４１、遮蔽領域部４２、および保護部材（パンチングネット）４３を有する。
【００２１】
開口領域部４１は、振動板２２３の前面位置に形成され、振動板２２３の正面方向で振動板２２３の外径全体が開放される形状に形成されている。
遮蔽領域部４２は、開口領域部４１の側方に形成され、振動板２２３の斜視方向で振動板２２３の一部が遮蔽される形状に形成されている。また、遮蔽領域部４２は、例えば図２，３に示すようにｘ軸方向に沿って開口領域部４１の左右両側に形成され、左右一方の斜視方向で振動板２２３の振動面における左右一方の一部を遮蔽する。
詳細には遮蔽領域部４２は、例えば図２，３に示すように、ｘ軸方向に沿って開口領域部４１の左右両側に第１および第２の遮蔽領域部４２１，４２２を有する。本実施形態では第１の遮蔽領域部４２１，第２の遮蔽領域部４２２は、左右線対称な形状に形成されている。この第１の遮蔽領域部４２１は、左右一方の斜視方向で振動板２２３の振動面における左右一方の一部を遮蔽し、第２の遮蔽領域部４２２は、斜視方向で振動板２２３の振動面を遮蔽しない形状に形成されている。また、遮蔽領域部４２は、振動板２２３の正面方向で、振動板２２３の一部のエッジ部２２３ａ近傍を遮蔽する。この際、遮蔽領域部４２は、振動板２２３の正面方向で、振動板２２３の一部のエッジ部２２３ａ近傍や、振動板２２３の振動面の一部を遮蔽する形状に形成されていてもよい。この遮蔽領域部４２は、例えば鉄等の金属系材料や、ＡＢＳ（ACRYLONITRILE-BUTADIENE-STYRENE）樹脂等の樹脂系材料等、各種材料により形成される。
【００２２】
保護部材（パンチングネット）４３は、例えば開口領域部４１を覆うように形成され、例えば複数の孔部が形成されている。本実施形態に係る保護部材４３は、複数の孔部が形成されたパンチングネットを採用する。保護部材４３は、例えば鉄等の金属系材料や、ＡＢＳ樹脂等の樹脂系材料により形成されている。振動板から放射される粗密波は、保護部材４３に形成された孔部を介して、少なくとも真正面方向に音響的負荷が低い状態で透過可能である。
【００２３】
以下、グリル４の一具体例を説明する。図１〜６に示すように、グリル４は、左右両サイドに指向性を調整するアーム形状の遮蔽領域部４２が形成されている。遮蔽領域部４２は、真正面側から見て振動板２２３のエッジ２２３ａのみ、またはエッジ部２２３ａおよび振動板２２３の振動面まで覆うように形成されている。例えば図６に示すように、遮蔽領域部４２は、振動板２２３の最大外形円周方向で予め規定された角度範囲Ａが５５°〜８０°程度に形成されていることが好ましい。また第２の遮蔽領域部４２２は、水平方向（ｘ軸方向）の開口率（第１および第２の遮蔽領域部４２１，４２２間の最小寸法Ｃ／振動板２２３の最大径ΦＤ）を６５％〜８０％程度に設定することが好ましい。またグリル４の上下方向（ｙ軸方向）には、音響的な負荷形状を設けず、円周方向で角度Ｂを９０°以上開放することが好ましい。また遮蔽領域部４２は、例えば図２，４に示すように、正面軸（スピーカの中心軸Ｏ）から規定角度、例えば３０°以上斜め方向から見た場合に、遮蔽領域部４２２が振動板２２３の一部を覆い、その他の方向には、グリル４による音響的負荷がない構造に形成されている。この上述した角度範囲Ａ、開口率、角度Ｂなど各寸法や形状は、スピーカ装置１の使用環境、外的環境、低音再生用のスピーカ装置２や高音再生用のスピーカ装置３の音響性能などにより、適宜設定する。
【００２４】
上記構成のスピーカ装置１の動作を簡単に説明する。例えば電気信号が、端子部２２４ａから導電線ＬＮ１を介してボイスコイル２２２，３２２に供給される。これによりボイスコイル２２２，３２２それぞれに駆動力が発生し、振動板２２３，３２１をスピーカ装置１の軸方向Ｏ（ｚ軸方向）に振動させる。こうしてスピーカ装置１は前面側に音波（粗密波）を放射する。
【００２５】
［真正面方向（中心軸方向）］
この際、振動板２２３から、スピーカ装置１の正面軸方向（ｚ軸方向）に沿って放射される粗密波は、グリル４の開口領域部４１を介して、詳細には開口領域部４１を覆うように形成された保護部材４３を介して前面側に向って放射される。この際、保護部材４３は音響的負荷が略ゼロとなるように形成されている。
【００２６】
［（ｙ軸方向に向かって傾斜した）斜視方向］
図７は、スピーカの中心軸Ｏからｙ軸方向に向かって規定角度傾いた斜視方向に放射される音波（粗密波）の行路差を説明するための図である。例えば図７に示すように、スピーカ装置の正面軸（中心軸Ｏ）に対して、斜視方向（３０°）での受聴する際に、スピーカ装置１の振動板２２３の振動面の各部分から放射される音波（粗密波）は、最大で行路差ＬＤ１を生じる。例えば直径１０ｃｍ程度の振動板を備えるスピーカでは、斜視方向３０°にて受聴した場合、数式（１）に示すように、行路差ＬＤ１が最大で約０．０３６ｍ程度となる。この行路差０．０３６ｍは、約４．７ｋＨｚ程度の音波の半波長に相当する。この半波長分だけずれた音波（粗密波）、つまり位相１８０度ずれた音波が干渉すると音圧レベルが低下する。
【００２７】
［数１］
波長＝音速÷周波数
＝３４０（ｍ／ｓ）÷４７００（Ｈｚ）
＝０．０７２（ｍ）
＝０．０３６（ｍ）×２
＝半波長×２          …（１）
【００２８】
［（ｘ軸方向に向かって傾斜した）斜視方向］
図８は、スピーカの中心軸Ｏからｘ軸方向に向かって規定角度傾いた斜視方向に放射される音波（粗密波）を説明するための図である。
一方、例えば図１〜図６，図８に示すように、遮蔽領域部４２は振動板２２３の斜視方向で振動板の一部を遮蔽する形状に形成されているので、例えば正面軸（中心軸Ｏ）に対してｘ軸方向に向かって規定角度傾いた斜視方向（３０°）に沿って進む粗密波の一部は、遮蔽領域部４２により遮蔽され、一部の粗密波は反射される。
【００２９】
詳細には振動板２２３の振動面における左右一方の一部、例えば図８に示すように、第２の遮蔽領域部４２２の近傍の振動板２２３の上端部付近２２３ｐから放射される粗密波の全部または一部を遮蔽することにより、例えば振動板２２３の対向する振動面から放射される粗密波と干渉する度合いを著しく低減させることができ、音圧レベルの低下を防止することができる。つまり音質の低下を防止することができる。
【００３０】
［比較］
本願発明者は、本発明の一実施形態に係るスピーカの性能を確認するために、本発明の一実施形態に係る遮蔽領域部４２が形成されたグリル４と、一般的なグリルについて、正面方向（０°）および斜視方向（３０°）の周波数レスポンスを測定して比較した。
【００３１】
図９は、本発明の一実施形態に係るグリル４を備えたスピーカ装置１と、一般的なグリルを備えたスピーカ装置それぞれの正面方向（０°）の周波数レスポンスを示す図である。図１０は、本発明の一実施形態に係るグリル４を備えたスピーカ装置１と、一般的なグリルを備えたスピーカ装置それぞれの斜視方向（３０°）の周波数レスポンスを示す図である。この周波数レスポンスは、それぞれの方向に沿って１ｍの点における音圧レベルを周波数に対応して連続した曲線となるように測定した結果に対応する。実線は本発明の一実施形態に係るグリル４を備えたスピーカ装置１に係る測定結果を示し、破線は一般的なグリルを備えたスピーカ装置に係る測定結果を示す。
【００３２】
［一般的なスピーカ装置］
図９，１０に示すように、一般的なスピーカ装置では、正面方向と比べて斜視方向（３０°）では、周波数約５ｋＨｚ〜８ｋＨｚの範囲において音圧レベルが著しく低下する。この音圧レベルの低下は、上述したように（図７）、斜視方向に沿った粗密波の行路差ＬＤ１が主な要因である。この行路差ＬＤ１が粗密波の半波長に相当する粗密波が干渉すると、図９に示すように、その半波長に相当する周波数帯域（５ｋＨｚ〜９ｋＨｚ程度）の音圧レベルが低下する。
【００３３】
［本発明の一実施形態に係るスピーカ装置１］
一方、本発明の一実施形態に係るスピーカ装置１では、図８，９に示すように、正面方向と比べて斜視方向（３０°）における周波数レスポンスは、周波数帯域約５ｋＨｚ〜９ｋＨｚの範囲において音圧レベルが低下するものの、一般的なスピーカ装置と比べて音圧レベルが大きく向上している。つまり、その周波数帯域（約５ｋＨｚ〜９ｋＨｚ）において音質が改善していることが確認できた。
【００３４】
またグリル４は、振動板２２３の正面方向で振動板２２３の外径全体が開放される形状の開口領域部４１を備えているので、振動板２２３から正面方向に沿って放射される粗密波は、音響的負荷が低い状態でグリル４を透過するので、音圧レベルが低下しない。つまり例えば単純に振動板の前面側に指向性を持たせるために反射板を形成すると正面方向への音質が低下するが、本発明に係るグリル４は、正面方向に開口領域部４１が形成されているので、正面方向への音質が低下しない。
【００３５】
以上説明したように、本実施形態に係るスピーカ装置１は、振動板２２３、および振動板２２３の前面側に配備されるスピーカ用グリル４を有し、スピーカ用グリル４は、振動板２２３の前面位置に形成され、振動板２２３の正面方向で振動板２２３の外径全体が開放される開口領域部４１と、開口領域部４１の側方に形成され、振動板２２３の斜視方向で振動板２２３の一部が遮蔽される遮蔽領域部４２とを有するので、簡単な構成で斜視方向での音質の低下を防止することができる。また上述したようにグリル４は、正面方向に開口領域部４１が形成されているので正面方向への音質が低下しない。
【００３６】
また、本実施形態に係る遮蔽領域部４２は、開口領域部４１の左右両側に形成され、左右一方の斜視方向で振動板２２３の振動面における左右一方の一部を遮蔽するので、左右両方の斜視方向での音質の低下を防止することができる。
詳細には、遮蔽領域部４２は、開口領域部４１の左右両側に第１および第２の遮蔽領域部４２１，４２２を有し、第１の遮蔽領域部４２２は、左右一方の斜視方向で振動板２２３の振動面における左右一方の一部を遮蔽し、第２の遮蔽領域部４２１は、その斜視方向で振動板２２３の振動面を遮蔽しない形状に形成されているので、左右両方の斜視方向での音質の低下を防止することができる。つまり、左右一方の斜視方向では、第１および第２の遮蔽領域部４２１，４２２のいずれか一方が、振動板２２３の振動面を遮蔽する形状に形成されているので、余計な音響的負荷をかけることなく、斜視方向の音質の低下を防止することができる。
また、遮蔽領域部４２は、振動板２２３の正面方向で、振動板２２３のエッジ近傍を遮蔽するので、遮蔽領域部４２が形成されている方向に向かって微小に傾いた斜視方向であっても、遮蔽領域部４２が振動板２２３の一部を遮蔽することで、音質の低下を防止することができる。
【００３７】
また、本実施形態に係るスピーカ装置１は、低音再生用のスピーカ装置２と高音再生用のスピーカ装置３とが同軸上に配置され、高音再生用のスピーカ装置３には、上述した遮蔽カバー３４が形成されているので、斜視方向では遮蔽カバー３４と遮蔽領域部４２とで、振動板２２３の一部を遮蔽するので、さらに音質の低下を防止することができる。
【００３８】
なお、本発明は、上述した実施形態に限られるものではない。
例えば上述した実施形態に係るスピーカ装置１は、低音再生用のスピーカ装置２と高音再生用のスピーカ装置３の２個のスピーカ装置を備えたが、この形態に限られるものではない。１個のスピーカのみでもよいし、複数個のスピーカを備えていてもよい。
また、上述した実施形態に係るスピーカ装置１は、コーン形状の振動板を有するスピーカを説明したが、この形態に限られるものではない。例えばコーン形状、ドーム形状、平面形状、円形状、楕円形状、各種形状の振動板を有するスピーカであってもよい。
また、上述した実施形態に係るスピーカ装置１は、導電型の駆動方式のスピーカを説明したが、この形態に限られるものではない。例えば、電磁型、静電型、圧電型等、各種駆動方式を採用してもよい。また磁気回路として、内磁型磁気回路や外磁型磁気回路のいずれを採用してもよい。
【００３９】
また、上述した実施形態に係るスピーカ装置１では、樹脂からなる遮蔽領域部４２と、保護部材（パンチングネット）４３が備えられた開口領域部４１とが形成されたグリル４を有したが、この形態に限られるものではない。例えばグリル４として、開口領域部４１に複数の孔部が形成され、遮蔽領域部４２に孔部が形成されていない又は遮蔽領域部４２の孔部が塞がれている保護部材（パンチングネット）を用いることで、簡単な構成により本発明に係る効果を得ることができる。
【００４０】
また、例えば上述した実施形態では、円形状のスピーカを説明したが、この形態に限られるものではない。例えば本発明に係るスピーカを、略楕円形状、略矩形状、フラット形状等の各種形状のスピーカに採用することもできる。
【００４１】
以上説明したように、本発明に係るスピーカは、スピーカ装置１は、振動板２２３、および振動板２２３の前面側に配備されるスピーカ用グリル４を有し、スピーカ用グリル４は、振動板２２３の前面位置に形成され、振動板２２３の正面方向で振動板２２３の外径全体が開放される開口領域部４１と、開口領域部４１の側方に形成され、振動板２２３の斜視方向で振動板２２３の一部が遮蔽される遮蔽領域部４２とを有するので、簡単な構成で斜視方向での音質の低下を防止することができる。
【図面の簡単な説明】
【００４２】
【図１】本発明の一実施形態に係るスピーカ装置１を説明するための正面図である。
【図２】図１に示したスピーカ装置のＡ−Ａ線に沿った断面図である。
【図３】図１に示したスピーカ装置１のＢ−Ｂ線に沿った断面図である。
【図４】図１に示したスピーカ用グリルの正面側からの斜視図である。
【図５】図１に示したスピーカ用グリルの裏面側からの斜視図である。
【図６】図１に示したスピーカ用グリルの正面図である。
【図７】スピーカの中心軸Ｏからｙ軸方向に向かって規定角度傾いた斜視方向に放射される音波（粗密波）の行路差を説明するための図である。
【図８】スピーカの中心軸Ｏからｘ軸方向に向かって規定角度傾いた斜視方向に放射される音波（粗密波）を説明するための図である。
【図９】本発明の一実施形態に係るグリル４を備えたスピーカ装置１と、一般的なグリルを備えたスピーカ装置それぞれの正面方向（０°）の周波数レスポンスを示す図である。
【図１０】本発明の一実施形態に係るグリル４を備えたスピーカ装置１と、一般的なグリルを備えたスピーカ装置それぞれの斜視方向（３０°）の周波数レスポンスを示す図である。
【符号の説明】
【００４３】
１  スピーカ装置１
２  低音再生用のスピーカ装置
３  高音再生用のスピーカ装置
４  グリル
５  支持部材
２１  磁気回路
２２  振動系
３１  磁気回路
３２  振動系
３３  フレーム部
３４  遮蔽カバー
４１  開口領域部
４２  遮蔽領域部
４３  保護部材（パンチングネット）
２１０  磁気間隙
２１１  磁石
２１２  ポールピース
２１３  プレート
２２１  ボイスコイルボビン
２２２  ボイスコイル
２２３  振動板
２２４  スピーカフレーム（フレーム）
２２４ａ  端子部
２２５  ダンパ
３１１  磁石
３１２  ヨーク
３１３  プレート
３２１  振動板
３２２  ボイスコイル
４２１  第１の遮蔽領域部
４２２  第２の遮蔽領域部
【図１】
0004690856.tif 000002
【図２】
0004690856.tif 000003
【図３】
0004690856.tif 000004
【図４】
0004690856.tif 000005
【図５】
0004690856.tif 000006
【図６】
0004690856.tif 000007
【図７】
0004690856.tif 000008
【図８】
0004690856.tif 000009
【図９】
0004690856.tif 000010
【図１０】
0004690856.tif 000011